(57)【要約】【課題】球転動部上を転がる球が非特定領域に流入する過程で、球の流れに変化をもたせ、その球のうち、一部の球を特定領域に流入可能に構成することで、遊技者に対し期待感を与えることができる遊技機を提供する。【解決手段】入賞口３４から流入した球Ｂを受けて転がす球転動部５１と、その球転動部５１上を転がる球Ｂが流入可能な第１流入口６０と第２流入口６２とがそれぞれ設けられた入賞装置３１を備える。第１流入口６０は、遊技者に有利な遊技状態となる特定領域６５に連通される一方、第２流入口６２は非特定領域８１に連通されている。【選択図】        図１
2004248813.tif 000002
【特許請求の範囲】
【請求項１】
入賞口から流入した球を受けて転がす球転動部と、その球転動部上を転がる球が流入可能な第１流入口と第２流入口とがそれぞれ設けられた入賞装置を備えた遊技機であって、
前記第１流入口は、遊技者に有利な遊技状態となる特定領域に連通される一方、前記第２流入口は非特定領域に連通されていることを特徴とする遊技機。
【発明の詳細な説明】
【０００１】
【発明の属する技術分野】
この発明はパチンコ機等の弾球遊技機とも呼ばれている遊技機に関する。
【０００２】
【従来の技術】
従来、例えば、遊技盤の遊技領域に配設された入賞装置において、球（パチンコ球）が流入可能な入賞口を有する入賞室内に特定領域と非特定領域とが設けられた構造のものがある。
この種の入賞装置において、入賞口から流入した球が特定領域に流入すると、遊技者に有利な遊技状態（例えば大当たりの権利が付与される状態）となるように制御されている。また、このような入賞装置は、例えば、第２種、第３種、第４種パチンコ機等に採用されている。
また、入賞口から入賞室内に流入した球が特定領域あるいは非特定領域に流入する過程で、球の流れに変化をもたせ遊技の興趣を高めるために、入賞室の所定位置（例えば、底部）に球を受けて転がす球転動部が設けられ、その球転動部の下流端に特定領域の流入部と、非特定領域の流入部とがそれぞれ配設されたものも知られている。
さらに、球転動部の側縁部にリプレイ通路が設けられ、球転動部の側縁部から外れた球をリプレイ通路の下端部に受け入れ、その球を、発射手段によって再度、球転動部の上流側に戻す（打ち上げる）ように構成にしたパチンコ機も知られている（例えば、特許文献１参照）。
【０００３】
【特許文献１】
特願平１１−２５６１５号公報（第３−７頁、図３ー５）
【０００４】
【発明が解決しようとする課題】
ところで、前記した従来のものにおいては、球転動部の側縁部から外れた球をリプレイ通路の下端部に受け入れ、その球を、発射手段によって再度、球転動部の上流側に戻すことは可能であるが、非特定領域の流入部に流入した球は球転動部上に戻すことができなかった。
【０００５】
この発明の目的は、前記問題点に鑑み、球転動部上を転がる球が非特定領域に流入する過程で、球の流れに変化をもたせ、その球のうち、一部の球を特定領域に流入可能に構成することで、遊技者に対し期待感を与えることができる遊技機を提供することである。
【０００６】
【課題を解決するための手段】
前記目的を達成するために、手段１の発明に係る遊技機は、請求項１に記載されたとおりの構成、すなわち、
「入賞口から流入した球を受けて転がす球転動部と、その球転動部上を転がる球が流入可能な第１流入口と第２流入口とがそれぞれ設けられた入賞装置を備えた遊技機であって、
前記第１流入口は、遊技者に有利な遊技状態となる特定領域に連通される一方、前記第２流入口は、球移送経路を介して非特定領域に連通され、
前記球移送経路の途中には、遊技者が視認可能でかつ前記球転動部から所定高さだけ上方に離れた位置において球落下可能領域が設けられ、
前記球落下可能領域まで移送された球を前記球転動部上に落下させる球落下手段が設けられていることを特徴とする遊技機。」を要旨とする。
【０００７】
したがって、入賞口から流入した球は、球転動部に受けられてその球転動部上を転がって（流れて）、第１流入口、あるいは第２流入口に流がれる。また、第１流入口、第２流入口以外の流入口を設けた場合には、球転動部上を転がる球が１流入口、第２流入口以外の流入口に流がれることがある。
第１流入口に流入した球は特定領域に流れ、第２流入口に流入した球は球移送経路を介して非特定領域に流れる。
球移送経路において、遊技者が視認可能でかつ球転動部から所定高さだけ上方に離れた位置の球落下可能領域に達した球のうち、一部の球は球落下手段によって球転動部上に落下されて戻され、再度、球転動部上を転がって第１流入口あるいは第２流入口（あるいはこれら第１、第２流入口以外の流入口）に流入する。
このようにして、球転動部上を転がる球が非特定領域に流入する過程で、球の流れに変化をもたせことができるとともに、その球のうち、一部の球を特定領域に流入可能に構成することができる。言い換えると、本来であれば非特定領域に流入する球を、球落下手段によって、球落下可能領域から球転動部上に落下させて復活させることができる。
【０００８】
手段２の発明に係る遊技機は、手段１に記載の遊技機であって、球落下手段は、入賞口と球落下可能領域との間に設けられかつ入賞口から流入した球を、球移送経路の球落下可能領域まで移送された球に衝突可能に誘導して放出する球誘導路によって構成されている。
したがって、入賞口に先行して流入した球が球誘導路及び球転動部を経て、第２流入口に流入し、その球が球移送経路の球落下可能領域まで移送される時期と、入賞口に後続して流入した球が球誘導路に誘導されて放出される時期とが合致することを条件として、前記先行の球、すなわち、球落下可能領域に移送された球に、後続の球、すなわち、球誘導路から放出される球が衝突する。これによって、後続の球とともに、球落下可能領域に移送された先行する球が球転動部上にそれぞれ落下して転がる。
言い換えると、先行する球が第２流入口から球移送経路に流入した場合、遊技者は、時期（タイミング）を計って入賞口に球（後続の球）を流入させることによって、球移送経路の球落下可能領域に達した球を球転動部上に落下させることができる。このため、遊技者に遊技技量が要求される遊技性を与えることができる。そして、後続の球が球落下可能領域の球に衝突して落下したときには遊技者に対し多大な満足感を与えることが可能となる。
【０００９】
手段３の発明に係る遊技機は、手段１又は２に記載の遊技機であって、球移送経路には、第２流入口から同球移送経路に流入した球を持ち上げながら移送する移送ベルトが設置されている。
したがって、球移送経路に流入した球を移送ベルトによって所望とする高さ位置まで確実に移送することができる。
【００１０】
手段４の発明に係る遊技機は、手段３に記載の遊技機であって、移送ベルトの長手方向には、球を磁力によって吸着する複数の磁力吸着部が所定間隔を保って配設されている。
したがって、球移送経路に流入した球を移送ベルトの磁力吸着部によって吸着した状態で所望とする位置まで確実に移送することができる。特に、球を低い位置から高い位置まで持ち上げながら所望とする高さ位置まで確実に移送することができる。
【００１１】
【発明の実施の形態】
この発明の実施の形態を図面にしたがって説明する。
遊技機としての弾球遊技機、例えば、権利ものとも呼ばれている第３種パチンコ機の遊技盤を正面（前面）で表した図１において、遊技盤１０の前面の周縁部には、外レール１２と内レール１３とを備えた案内レール１１が装着されている。この案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。
遊技盤１０の遊技領域１５には、その略中央部において後に詳述する入賞装置としての権利発生装置３１（第３種権利発生装置、センタ役物装置等とも呼ばれることもある。）が装着されている。さらに、遊技盤１０の遊技領域１５の所定位置には、一般入賞器１６や球Ｂを所定方向に誘導したり、あるいは球Ｂの流れを変化させる多数の釘や風車器１７が適宜に配設され、遊技領域１５の最下端には、アウト口１９が設けられている。
【００１２】
また、遊技盤１０の遊技領域１５の所定位置、例えば、図１に向かって権利発生装置３１の斜め左下部と略直下部の２箇所には、権利発生装置３１の開閉体３５を作動するための開閉体作動用入賞器１８が配設されている。開閉体作動用入賞器１８には球検出器（図示しない）が設けられている。
また、遊技盤１０の遊技領域１５には、その権利発生装置３１の片側（図１に向かって右側）に位置して第３種始動装置２３と、開閉扉２１によって大入賞口２２が開閉可能に構成された大入賞口装置２０とが上下に所定間隔を保ってそれぞれ装着されている。
なお、第３種始動装置２３には、外周に凹状の球受け部２５を有する球受回転体２４を備え、大当たりの権利発生後、球受回転体２４の球受け部２５に球Ｂを受けてその球Ｂを所定位置まで移送して放出することによって大当たり遊技を始動し、開閉扉２１を開放動作させるようになっている。
【００１３】
さて、図２〜図４に示すように、入賞装置としての権利発生装置３１は、単数又は複数の本体構成部材３２を主体として構成されている。そして、本体構成部材３２には、その上部の左右両側部のうち、少なくとも片側（図２に向かって左側）に、球Ｂが流入可能な入賞口３４を有する入賞室３３が形成されている。
本体構成部材３２の入賞口３４近傍には、その入賞口３４を開閉可能な開閉体３５が設けられている。この開閉体３５は、ソレノイド、モータ等の電動アクチュエータ（図示しない）を駆動源としかつ軸３６を中心として開閉動作されるようになっている。そして、この実施の形態においては、開閉体作動用入賞器１８に球Ｂが流入しかつその球Ｂが球検出器（図示しない）によって検出されたことを条件して電動アクチュエータ（図示しない）が作動し、これによって、開閉体３５が所定時間（例えば、０．５秒前後）だけ入賞口３４を開放した後、元の状態に閉じるようになっている。
【００１４】
本体構成部材３２には、その入賞室３３の上部において、入賞口３４から流入した球Ｂを入賞室３３の上部中央部まで誘導して放出するための緩やかに傾斜した球誘導路４０を上面に有する誘導体４１が固定状態で配設されている。
また、本体構成部材３２には、その入賞室３３の底部をなしかつ入賞室３３の左右の両側壁４５の間に位置して、奥側が高く前側が低い傾斜面をなす棚板５０が固定状態で設けられており、その棚板５０の上面を球転動部５１としている。
また、球転動部５１上には、球Ｂの転がり方向を変える複数のピン状の突出部５２が上下並びに左右方向に適宜の間隔を隔てて突設されている。そして、球誘導路４０先端の放出部から放出された球Ｂは、球転動部５１上に落下して受けられた後、前側に向けて転がるようになっている。
また、棚板５０の奥側の左右方向略中央部には、球Ｂが通過可能な球通過孔５６が切り欠き状に形成され、その球通過孔５６には、開閉板５３がピン５４を支点として開閉可能に配設されている。この開閉板５３は、下方から上方への球Ｂの通過は許容し、上方から下方への球Ｂの通過は阻止するためのものであり、常には自重によってストッパ手段に当接する閉じ位置に配置され、後述する移送ベルト７６の磁力吸着部７７に吸着された球Ｂによって開かれるようになっている。
【００１５】
本体構成部材３２には、棚板５０の前縁においてその棚板５０の球転動部５１上を転がる球Ｂが流入可能な第１流入口６０と第２流入口６２とがそれぞれ設けられている。
この実施の形態において、棚板５０の前縁の左右方向略中央部に位置して第１流入口６０が形成され、その第１流入口６０の左右両側に隣接して第２流入口６２が形成されている。そして、第１流入口６０は、遊技者に有利な遊技状態となる特定領域６５に連通されている。この特定領域６５には球Ｂの通過を検出する球検出器６６が配設されている（図５参照）。
また、左右の両第２流入口６２は、球移送経路７０を介して非特定領域８１に連通される。
【００１６】
図４と図５に示すように、球移送経路７０は、連絡通路７１と移送ベルト７６によって構成されるベルト移送路７２とを主体として構成されている。
連絡通路７１は、左右の両第２流入口６２にそれぞれ連通された分岐通路部が、本体構成部材３２の下部の左右両側部に沿って奥側まで延出され、その奥側において中央部に向けて屈曲されてそれぞれ合流するようにして形成されている。そして、合流部には球受部７１ａが凹設されている。
ベルト移送路７２を構成する移送ベルト７６は、連絡通路７１の球受部７１ａよりも低い位置に回転可能に配設された従動ローラ７５と、球誘導路４０の高さよりも所定高さだけ高い位置に配設されかつモータ９５を駆動源として回転駆動される駆動ローラ７４との間に張設されている。
【００１７】
この実施の形態において、図２と図３に示すように、入賞室３３の奥側壁４６の左右方向略中央部には、棚板５０の奥側端から所定高さにわたって開口窓４７が形成されている。そして、移送ベルト７６の前側ベルト部の略上半部は、開口窓４７において露出され、遊技者が視認可能となっている。
また、この実施の形態において、移送ベルト７６の長手方向には、球Ｂ（例えば１つの球Ｂのみ）を磁力によって吸着する複数の磁力吸着部７７が所定間隔を保って配設されている。すなわち、移送ベルト７６の長手方向には複数の磁力吸着部７７を構成する磁石が点在されている。
また、この実施の形態において、球誘導路４０先端の放出部から放出される球Ｂの放出軌跡（落下軌跡）の範囲において、移送ベルト７６の前側上部を球落下可能領域７９としている（図３参照）。
そして、球落下可能領域７９まで移送された球Ｂを球転動部５１（棚板５０）上に落下させる球落下手段が球誘導路４０によって構成されている。
また、入賞室３３の奥側壁４６には開口窓４７の上部に隣接して非特定領域用流入口８１ａが形成されている。この非特定領域用流入口８１ａは非特定領域８１に連通している。
【００１８】
また、図２に示すように、本体構成部材３２の上部には、液晶表示器や７セグメント表示器等よりなる図柄表示装置９０が設置されている。
この図柄表示装置９０の前側には、特定領域６５に設けられた球検出器６６よって球Ｂを検出したことを条件として抽選図柄を変動表示する表示部９１が遊技者に対し視認可能に設けられている。すなわち、特定領域６５に設けられた球検出器６６よって球Ｂを検出すると、その信号が主制御装置（主制御基板）１００に伝達され、これに対応して主制御装置１００から出力される信号に基づく抽選図柄が表示部９１に変動表示されるようになっている。
【００１９】
この実施の形態に係る遊技機としてのパチンコ機は上述したように構成される。したがって、遊技の際、図示しない球発射装置から球発射通路１４に発射された球Ｂ（パチンコ球）は、遊技領域１５の上部に打ち出され、多数の釘や風車器１７等に当たって遊技領域１５の下部に向けて流れる。
遊技領域１５に打ち出された球Ｂのうち、一部の球Ｂは一般入賞器１６、開閉体作動用入賞器１８等の入賞口に流入する。また、これら入賞口に流入しなかった球Ｂは遊技領域１５の下部のアウト口１９に流入し、機外に排出される。
【００２０】
開閉体作動用入賞器１８の入賞口に球Ｂが流入すると、その球Ｂが球検出器（図示しない）によって検出される。すると、球検出器の検出信号が主制御装置１００に伝達される。これに基づいて主制御装置１００から出力される信号によって権利発生装置３１の開閉体３５の電動アクチュエータ（図示しない）が作動される。これによって、開閉体３５が所定時間（例えば、０．５秒前後）開放された後、元の状態に閉じられる。
図２に示すように、開閉体３５の開放時において、球Ｂが権利発生装置３１の入賞口３４から入賞室３３に流入すると、その球Ｂは、まず、入賞室３３上部の球誘導路４０に沿って流れ、同球誘導路４０先端の放出部から放出される。
球誘導路４０先端の放出部から放出された球Ｂは、棚板５０の球転動部５１上に受けられて、同球転動部５１上を転がる。そして、球転動部５１上の球Ｂは、突出部５２に当たり、転動方向を変えながら転がって第１流入口６０あるいは第２流入口６２に流入する。
【００２１】
球転動部５１上の球Ｂが第１流入口６０に流入すると、その球Ｂは特定領域６５に流れ球検出器６６によって検出される。すると、図柄表示装置９０の表示部９１の抽選図柄が変動し、設定時間後停止する。そして、表示部９１には主制御装置１００から伝達される信号に基づく抽選図柄が表示される。表示部９１に表示された抽選図柄が「大当たり図柄」、例えば「７・７」となって停止した場合、大当たりの権利が発生する。
【００２２】
大当たり権利が発生した後、遊技領域１５を流れる球Ｂが第３種始動装置２３の球受回転体２４の球受部２５に受けられて排出口に放出されると、その球Ｂが球検出器（図示しない）によって検出される。すると、その検出信号が主制御装置１００に伝達される。これに基づいて主制御装置１００から出力される信号が大入賞口装置２０に伝達され、その開閉扉２１によって大入賞口２２が開かれる。大入賞口２２に球Ｂが最大で１０個流入するか、あるいは、所定時間（例えば、８秒）経過すると、開閉扉２１によって大入賞口２２が一旦閉じられ、ここで大当たり遊技の１ラウンドが終了する。
１ラウンドの間において、大入賞口２２内に設けられた特定入賞部に球が入り、その球が球検出器（図示しない）によって検出されると、再び、開閉扉２１によって大入賞口２２が開かれる。このように大当たり遊技が最大で１６ラウンド行われて大当たり遊技が終了する。
【００２３】
また、図４と図５に示すように、入賞口３４から球誘導路４０を経て棚板５０の球転動部５１上を転がる球Ｂが第２流入口６２に流入すると、その球Ｂは、球移送経路７０の連絡通路７１を流れてその連絡通路７１奥側の球受部７１ａに受けられる。
球移送経路７０のベルト移送路７２を構成する移送ベルト７６は、モータ９５を駆動源とする駆動ローラ７４の回転力によってその前側ベルト部が上方に向けて回動される。
そして、球受部７１ａの球Ｂは、移送ベルト７６の磁力吸着部７７によって吸着された状態で非特定領域用流入口８１ａに向けて持ち上げられながら移送される。そして、移送ベルト７６の磁力吸着部７７によって吸着されてた球Ｂは、開閉板５３の下面に当接して同開閉板５３をその自重に抗して開放しながら通過する。その後、移送ベルト７６の磁力吸着部７７によって吸着された球Ｂは、球落下可能領域７９を通して非特定領域用流入口８１ａに放出されて非特定領域８１に流れる。
【００２４】
また、図３に示すように、入賞口３４に先行して流入した球Ｂ（先行球Ｂ１）が球誘導路４０及び球転動部５１を経て、第２流入口６２に流入し、その先行球Ｂ１が球移送経路７０の球落下可能領域７９まで移送される時期と、入賞口３４に後続して流入した球Ｂ（後続球Ｂ２）が球誘導路４０に誘導されて放出される時期とが合致すると、球落下可能領域７９に移送された先行球Ｂ１に、球誘導路４０先端から放出される後続球Ｂ２が衝突する。これによって、後続球Ｂ２とともに、球落下可能領域７９に移送された先行球Ｂ１が球転動部５１上にそれぞれ落下して転がる。この結果、第２流入口６２に一旦流入し球Ｂが第１流入口６０に流入して特定領域６５に流れる可能性が復活する。
言い換えると、先行球Ｂ１が第２流入口６２から球移送経路７０に流入した場合、遊技者は、時期（タイミング）を計って入賞口３４に後続球Ｂ２を流入させることによって、球移送経路７０の球落下可能領域７９に達した先行球Ｂ１を球転動部５１上に落下させることができる。このため、遊技者に遊技技量が要求される遊技性を与えることができる。そして、後続球Ｂ２が球落下可能領域７９の先行球Ｂ１に衝突して、その先行球Ｂ１を落下させときには遊技者に対し多大な満足感を与えることが可能となる。
【００２５】
前記したように、球転動部５１上を転がる球Ｂが非特定領域８１に流入する過程で、球Ｂの流れに変化をもたせことができるとともに、その球Ｂのうち、一部の球Ｂを特定領域６５に流入可能に構成することができる。言い換えると、本来であれば非特定領域８１に流入する球Ｂを、球落下手段によって、球落下可能領域７９から球転動部５１上に落下させて復活させることができる。
また、この実施の形態において、移送ベルト７６の長手方向には、球Ｂを磁力によって吸着する複数の磁力吸着部７７が所定間隔を保って配設されている。
したがって、球移送経路７０に流入した球Ｂを移送ベルト７６の磁力吸着部７７によって吸着した状態で所望とする高さ位置まで確実に移送することができる。特に、球Ｂを、低い位置、すなわち連絡通路７１の球受部７１ａからから、高い位置、すなわち非特定領域用流入口８１ａまで持ち上げながら確実に移送することができる。
【００２６】
また、入賞口３４に先行して流入した先行球Ｂ１が球誘導路４０及び球転動部５１を経て、第２流入口６２に流入し、その先行球Ｂ１が球移送経路７０の球落下可能領域７９まで移送される時期と、入賞口３４に後続して流入した後続球Ｂ２が球誘導路４０に誘導されて放出される時期とが合致し易くするために、移送ベルト７６の磁力吸着部７７に吸着された先行球Ｂ１が球落下可能領域７９に達したとき、あるいはその直前に達したときに、所定時間だけ移送ベルト７６の移送速度を遅くしたり、あるいは停止するように設定することも可能である。このように設定することにより、先行球Ｂ１の復活の確率を調整することができる。このため、特に確率変動の遊技状態（例えば、大当たりとなる確率が高い遊技状態）等において、前記したように、移送ベルト７６の移送速度を遅くしたり、あるいは停止するように設定することが好ましい。
移送ベルト７６の速度変更や駆動停止の設定は、例えば、図４に示すように、開閉板５３に対し、その開放動作を検出する検出器１１０を配設し、その検出器１１０の検出信号を主制御装置１００に伝達し、これに基づいて主制御装置１００から出力される信号によってモータ９５を作動制御するよって容易にかつ正確に設定することができる。
また、先行球Ｂ１が検出器１１０によって検出されたことを条件として所定時間（例えば、数秒程度の短時間）だけ入賞口３４を開放するように設定することも可能である。この場合、遊技者は入賞口３４の開放タイミングを見計らって球を流入させなければならず、遊技技量が要求されるため、より一層遊技性を高めることができる。
【００２７】
なお、この発明は前記実施の形態に限定するものではない。
例えば、前記実施の形態においては、入賞装置としての権利発生装置３１を備えた第３種パチンコ機である場合を例示したが、入賞装置を備えて第２種パチンコ機や第４種パチンコ機に採用することも可能である。
また、前記実施の形態においては、移送ベルト７６上に球Ｂを保持して移送するために磁力吸着部７７を設けたが、磁力吸着部７７に換え、移送ベルト７６上に球Ｂを受けて保持する保持部を形成してもよい。また、球移送経路７０に移送ベルト７６以外の移送機構を配設して球Ｂを移送することも可能である。
また、前記実施の形態においては、球誘導路４０先端の放出部から放出される球Ｂの放出軌跡（落下軌跡）の範囲が移送ベルト７６上の球落下可能領域７９に合致するように設定されている。すなわち、球落下可能領域７９まで移送された球Ｂを球転動部５１に落下させる球落下手段が球誘導路４０によって構成されている場合を例示したが、例えば、移送ベルト７６上の球落下可能領域７９に電動アクチュエータを駆動源として進退される進退部材によって球落下手段を構成してもよい。
また、球落下手段を進退部材によって構成した場合、所定領域（例えば、入賞口やゲート口）に球が通過しかつ検出器によって検出されることを条件として進退部材を作動させるようにすることも可能である。このように、進退部材を作動させることで、遊技者は先行球Ｂ１が球落下領域７９を通過するタイミングを見計らって所定領域（例えば、入賞口やゲート口）に球が通過するように球を発射コントロールしなければならず、遊技技量が要求されるため、より一層遊技性を高めることができる。
また、入賞口３４に先行して流入した球Ｂが第２流入口６２に流入した後、入賞口３４に球（後続球）Ｂが流入することを条件として進退部材を進退作動するように制御することも可能である。
【００２８】
【発明の効果】
以上述べたように、この発明によれば、球転動部上を転がる球が非特定領域に流入する過程で、球の流れに変化をもたせ、その球のうち、一部の球を特定領域に流入可能に構成することができ、遊技者に対し期待感を与えることができる。
【図面の簡単な説明】
【図１】この発明の実施の形態に係る遊技機としてのパチンコ機の遊技盤を示す正面図である。
【図２】同じく入賞装置としての権利発生装置を拡大して示す正面図である。
【図３】同じく権利発生装置の主要部を簡略化して示す斜視図である。
【図４】同じく権利発生装置を簡略化して示す縦断面図である。
【図５】同じく権利発生装置の第２流入口と非特定領域との間に設けられた球移送経路を簡略化して示す平断面図である。
【符号の説明】
１０  遊技盤
１８  開閉体作動用入賞器
３１  権利発生装置（入賞装置）
３２  本体構成部材
３３  入賞室
３４  入賞口
３５  開閉体
４０  球誘導路（球落下手段）
５１  球転動部
６０  第１流入口
６２  第２流入口
６５  特定領域
６６  球検出器
７０  球移送経路
７１  連絡通路
７２  ベルト移送路
７６  移送ベルト
７９  球落下可能領域
８１  非特定領域
【図１】
2004248813.tif 000003
【図２】
2004248813.tif 000004
【図３】
2004248813.tif 000005
【図４】
2004248813.tif 000006
【図５】
2004248813.tif 000007